(57)【要約】【課題】本発明は、水への分散性／水解性がより良好であり、体液が衣類を濡らすことを効果的に防止できる吸収性物品を提供することを目的とする。【解決手段】本発明は、液透過性のトップシートと、液不透過性のバックシートと、トップシート及びバックシートの間に配置された吸収体と、を有する、凧型形状の吸収性物品であって、上記吸収体は、複数枚の水解性クレープ紙の積層体からなり、上記トップシートは、水溶性高分子繊維を含む水解性クレープ紙から構成され、上記バックシートは、上記トップシートと水溶性バインダーを介して剥離可能に接合されており、上記吸収体を構成する水解性クレープ紙及び上記トップシートの、ＪＩＳ  Ｐ  ４５０１ほぐれ易さ試験の結果が１００秒以内である吸収性物品を提供する。【選択図】図１
2018086062.tif 000002
【特許請求の範囲】
【請求項１】
液透過性のトップシートと、液不透過性のバックシートと、トップシート及びバックシートの間に配置された吸収体と、を有する、凧型形状の吸収性物品であって、
前記吸収体は、複数枚の水解性クレープ紙の積層体からなり、
前記トップシートは、水溶性高分子繊維を含む水解性クレープ紙から構成され、
前記バックシートは、前記トップシートと水溶性バインダーを介して剥離可能に接合されており、
前記吸収体を構成する水解性クレープ紙及び前記トップシートの、ＪＩＳ  Ｐ  ４５０１ほぐれ易さ試験の結果が１００秒以内である吸収性物品。
【請求項２】
吸収体を構成する、水解性クレープ紙の坪量が１６ｇ／ｍ２以上２３ｇ／ｍ２以下である、請求項１に記載の吸収性物品。
【請求項３】
吸収体を構成する、水解性クレープ紙がエンボス加工されていることを特徴とする請求項１又は２に記載の吸収性物品。
【請求項４】
トップシートに含まれる水溶性高分子繊維がカルボキシメチルセルロース又はポリビニルアルコールである請求項１から３のいずれかに記載の吸収性物品。
【請求項５】
トップシートの坪量が、３０ｇ／ｍ２以上５０ｇ／ｍ２以下である、請求項１から４のいずれかに記載の吸収性物品。
【請求項６】
バックシートに付随する部位において、吸収性物品の少なくとも一端に摘み部を有する、請求項１から５のいずれかに記載の吸収性物品。
【発明の詳細な説明】
【技術分野】
【０００１】
本発明は、吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。この吸収性物品は、想定される使用状況における体液の排出量に応じて、様々な吸収量のものが存在する。これらのうち、比較的少量の排出量の体液を吸収するものとしては、軽失禁ライナーや軽失禁パッド等が知られている。
【０００３】
ところで、軽失禁ライナーや軽失禁パッドにおいては、これを水解性の材料から構成した製品も知られている。これらの水解性の吸収性物品は、使用後にトイレに廃棄することも可能であり、使用後の後処理が容易であるという利点がある。このような水解性の吸収性物品としては、例えば、特許文献１に、トップシートと、バックシートと、トップシート及びバックシートの間に介在する吸収体とを有する吸収性物品において、吸収体と、トップシート及びバックシートとが、吸収性物品の主たる吸収領域において、熱的接合手段により非連続の接合パターンで接合されており、この吸収領域において吸収体とトップシートとが非連続の接合パターンで接合されている部位全体の面積が、この吸収領域の１％から５０％である水解性の吸収性物品が開示されている。
【先行技術文献】
【特許文献】
【０００４】
【特許文献１】特開２００２−０３５０２６号公報
【発明の概要】
【発明が解決しようとする課題】
【０００５】
しかしながら、特許文献１に記載の吸収性物品も含め、従来の吸収性物品は、トイレに廃棄したときの分散性／水解性が必ずしも十分なものではなく、トイレのつまりを起こす可能性があった。一方で、水解性の良好な材料のみで吸収性物品を構成した場合、吸収性物品が体液を吸収した後、衣類を濡らしてしまうこともある。したがって、本発明は、以上の課題に鑑みてなされたものであり、水への分散性／水解性がより良好であり、体液が衣類を濡らすことを効果的に防止できる吸収性物品を提供することを目的とする。
【課題を解決するための手段】
【０００６】
本発明の発明者らは、上記課題を解決するため、鋭意研究を行った。その結果、凧型形状の吸収性物品であって、吸収体及びトップシートを所定のクレープ紙から構成し、液不透過性のバックシートを、トップシートと水溶性バインダーを介して剥離可能に接合した吸収性物品によれば、上記の課題を解決できることを見出し、本発明を完成するに至った。具体的には、本発明は、以下のものを提供する。
【０００７】
（１）本発明の第１の態様は、液透過性のトップシートと、液不透過性のバックシートと、トップシート及びバックシートの間に配置された吸収体と、を有する、凧型形状の吸収性物品であって、前記吸収体は、複数枚の水解性クレープ紙の積層体からなり、前記トップシートは、水溶性高分子繊維を含む水解性クレープ紙から構成され、前記バックシートは、前記トップシートと水溶性バインダーを介して剥離可能に接合されており、前記吸収体を構成する水解性クレープ紙及び前記トップシートの、ＪＩＳ  Ｐ  ４５０１ほぐれ易さ試験の結果が１００秒以内であることを特徴とするものである。
【０００８】
（２）本発明の第２の態様は、（１）に記載の吸収性物品であって、吸収体を構成する、水解性クレープ紙の坪量が１６ｇ／ｍ２以上２３ｇ／ｍ２以下であることを特徴とするものである。
【０００９】
（３）本発明の第３の態様は、（１）又は（２）に記載の吸収性物品であって、吸収体を構成する、水解性クレープ紙がエンボス加工されていることを特徴とするものである。
【００１０】
（４）本発明の第４の態様は、（１）から（３）のいずれかに記載の吸収性物品であって、トップシートに含まれる水溶性高分子繊維がカルボキシメチルセルロース又はポリビニルアルコールであることを特徴とするものである。
【００１１】
（５）本発明の第５の態様は、（１）から（４）のいずれかに記載の吸収性物品であって、トップシートの坪量が、３０ｇ／ｍ２以上５０ｇ／ｍ２以下であることを特徴とするものである。
【００１２】
（６）本発明の第６の態様は、（１）から（５）のいずれかに記載の吸収性物品であって、バックシートに付随する部位において、吸収性物品の少なくとも一端に摘み部を有することを特徴とするものである。
【発明の効果】
【００１３】
本発明の吸収性物品においては、吸収体及びトップシートが所定のほぐれ易さを有するクレープ紙で構成され、かつ、液不透過性のバックシートが、トップシートから剥離可能であるため、体液を吸収した後にバックシートを剥離すれば、トイレ等に廃棄した際にも、吸収性物品が水中に迅速に分散／水解し、トイレに詰まり等を起こすことがない。また、バックシートは液不透過性であるため、吸収体が体液を吸収した際にも、衣類を濡らすことを防止することができる。
【図面の簡単な説明】
【００１４】
【図１】吸収性物品の斜視図である。
【図２】吸収性物品の断面図である。
【図３】吸収物品端部の断面図である。
【図４】吸収物品端部の断面図である。
【発明を実施するための形態】
【００１５】
以下、本発明について図面を参照して詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、吸収性物品１の着用時とは、吸収性物品１の装着時及び装着後の少なくとも一方を示す。なお、本明細書の説明において、吸収性物品１の長手方向とは、吸収性物品１が着用されたときに着用者の前後に亘る方向であり、吸収性物品１の幅方向とは、長手方向に対して横又は直交する方向である。さらに、本明細書において、吸収性物品１の身体側表面とは、吸収性物品１の着用時に着用者の肌に当接する表面を指し、衣類側表面とは、吸収性物品１の着用時に着用者の衣類に当接する表面を指す。本明細書においては、吸収性物品１の身体側表面側を上側と称し、衣類側表面側を下側と称することがある。
【００１６】
＜吸収性物品＞
図１は、吸収性物品１の斜視図であり、図２は、吸収性物品１の断面図である。本発明の吸収性物品１は、凧型形状のものであって、複数枚の水解性クレープ紙２１の積層体からなる吸収体２と、吸収性物品１の身体側に位置し、水溶性高分子繊維を含む水解性クレープ紙から構成される、液透過性のトップシート３と、吸収体２の衣類側に位置し、トップシート３と水溶性バインダー５を介して、剥離可能に接合されている液不透過性のバックシート４と、を有し、吸収体２を構成する水解性クレープ紙２１及びトップシート３の、ＪＩＳ  Ｐ  ４５０１ほぐれ易さ試験の結果が１００秒以内のものである。なお、当該吸収性物品１は、凧型形状であるため、男性が使用するのに特に適している。
【００１７】
［吸収体］
（水解性クレープ紙）
上述のとおり、吸収体２は、複数枚の水解性クレープ紙２１の積層体からなるものであり、この積層体により、体液を吸収して保持する役割を果たすものである。水解性クレープ紙２１は木材パルプ１００質量％からなるものであってもよく、古紙パルプ、非木材パルプ、脱墨パルプを含んでもよい。
【００１８】
また、水解性クレープ紙２１は、環境負荷を低減するため、ミルクカートン（牛乳パック）由来の古紙パルプを含んでいてもよい。ミルクカートン由来の古紙パルプの使用量は、０質量％より多く６０質量％以下であることが好ましく、１０質量％以上５０質量％以下であることがより好ましい。ミルクカートン由来の古紙パルプは、針葉樹パルプが主体であり、水解性クレープ紙２１の強度を向上させやすいというメリットがある一方で、品質的にバラツキが大きく、含有割合が高過ぎると製品の品質に影響することがある。
【００１９】
本発明においては、ＮＢＫＰ（針葉樹晒クラフトパルプ）、ＬＢＫＰ（広葉樹晒クラフトパルプ）、ミルクカートン由来の古紙のパルプ１００質量部に対して、新聞や雑誌古紙等由来の脱墨パルプを２５質量部以下の範囲内で配合することもできる。脱墨パルプの含有率は０質量％より多く２０質量％以下であることが好ましく、０質量％より多く１０質量％以下であることがより好ましい。脱墨パルプも古紙であるため、これをパルプ原料に配合することにより、水解性クレープ紙２１の品質のバラツキが大きくなる。また、脱墨パルプは通常、蛍光染料を含んでおり、その含有率が２０質量％を超えると、水解性クレープ紙２１が蛍光染料を多く含むことになる場合がある。
【００２０】
（エンボス加工）
本発明においては、吸収体２に用いられる水解性クレープ紙２１にエンボス加工を施してもよい。エンボス加工を施すことにより、積層された、上下に隣接する水解性クレープ紙２１の間に空隙が形成され、この空隙で体液が保持されるため、吸収体２の体液保持能力や、吸液速度が向上する。水解性クレープ紙２１にエンボス加工を施す際には、ダブルエンボス加工を施してもよいし、シングルエンボス加工を施してもよいが、ダブルエンボス加工を施すことがより好ましい。シングルエンボス加工を施す場合、積層したシートの間隙を保持するために、シートを重ねて一度にエンボスを施さず、シートごとにエンボスを施した後、積層することが望ましい。また、上下に隣接する水解性クレープ紙２１の間に、効果的に空隙を形成させるため、エンボス加工を施した水解性クレープ紙２１の上下には、エンボス加工を施していない水解性クレープ紙２１を配置して、エンボス加工を施した水解性クレープ紙２１と、エンボス加工を施していない水解性クレープ紙２１とが、交互に積層されるようにしてもよい。
【００２１】
（水解性クレープ紙の積層枚数）
水解性クレープ紙２１の積層枚数は、吸収性物品１の水解性及び吸収性能がバランスよく維持される範囲内において適宜選択することが好ましいが、６枚以上１２枚以下であることが好ましい。
【００２２】
（水解性クレープ紙の坪量）
また、水解性クレープ紙２１の坪量は、一枚あたり、１６ｇ／ｍ２以上２３ｇ／ｍ２以下であることが好ましく、１８ｇ／ｍ２以上２１ｇ／ｍ２以下であることがより好ましい。水解性クレープ紙２１の坪量が上記の範囲内のものであることにより、吸収性物品１の水解性及び吸収性能がバランスよく維持される。
【００２３】
［トップシート］
本発明の吸収性物品１においては、吸収体２の身体側に、液透過性のトップシート３が配置されている。トップシート３は、水溶性高分子繊維が混抄された水解性クレープ紙から構成され、体液を吸収した後、容易に形態が崩壊しないように構成されている。トップシート３の坪量は、十分な強度を持たせる観点から、３０ｇ／ｍ２以上５０ｇ／ｍ２以下であることが好ましく、３８ｇ／ｍ２以上４２ｇ／ｍ２以下であることがより好ましい。
【００２４】
トップシート３を構成する水解性クレープ紙の材料としては、ＮＢＫＰ（針葉樹晒クラフトパルプ）の含有率が６０質量％以上１００質量％以下であることが好ましく、７０質量％以上１００質量％以下であることがより好ましい。また、木材パルプは、ＬＢＫＰ（広葉樹晒クラフトパルプ）を含んでいてもよく、ＬＢＫＰの含有率が０質量％より多く４０質量％以下であることが好ましく、０質量％より多く３０質量％以下であることがより好ましい
【００２５】
（水溶性高分子繊維）
上述のとおり、トップシート３には、水溶性高分子繊維が混抄されており、これにより、トップシート３が体液を吸収した後においても、トップシート３が形態を維持できるようになっている。また、体液によりトップシート３が湿潤状態となっても、シートが容易に千切れたり、繊維が脱落して人体を汚染したりすることを防止できる。
【００２６】
トップシート３に浸透させることができる水溶性高分子繊維としては、カルボキシメチルセルロース、ポリビニルアルコール等を用いることができ、特に限定されないが、本発明においては、カルボキシメチルセルロース又はポリビニルアルコールを用いることが好ましい。水溶性高分子繊維のトップシート３への配合量は、０．５％以上５．０％以下であることが好ましい。
【００２７】
［バックシート］
本発明の吸収性物品１においては、吸収体２の衣類側に、液不透過性のバックシート４が配置されている。吸収体２の衣類側にバックシート４を配置することにより、吸収体２が体液を吸収した後においても、吸収体２に保持される体液が、バックシート４の衣類側に浸透することを防止することができ、体液を吸収した吸収性物品１が着用者の衣類を濡らすことを防止することができる。また、当該バックシート４が、トップシート３から剥離可能であるため、体液を吸収した後にバックシート４を剥離すれば、トイレ等に廃棄した際にも、吸収性物品１が水中に迅速に分散／水解し、トイレに詰まり等を起こすことがない。
【００２８】
バックシート４は、吸収性物品１の外部に体液が漏れないよう、液不透過性を有し、遮水性を有するシート材が用いられるが、ムレ防止のために透湿性を有していてもよい。このような特性を有するバックシート４の材料としては、例えば、ポリエチレンシート、ポリビニルアルコール、ポリエチレンラミネート不織布等の厚みの薄いプラスチックシートを挙げることができる。バックシート４は、凧型形状を有している。バックシート４は、吸収体２の側縁より若干外方に延在して設けられていてもよい。また、図示しないが、バックシート４の衣類接触側表面には、着用時に下着等に吸収性物品１を固着するための粘着剤層が設けられており、粘着剤層には、剥離シートが固定されており、粘着剤層が保護されている。
【００２９】
（水溶性バインダー）
バックシート４は、トップシート３と水溶性バインダー５を介して剥離可能に接合されており、体液を吸収した際に、液不透過性のバックシート４が、トップシート３から剥離可能であるため、体液を吸収した後にバックシート４を剥離すれば、トイレ等に廃棄した際にも、吸収性物品１が水中に迅速に分散／水解し、トイレに詰まり等を起こすことがない。なお、吸収体２についても、水溶性バインダー５を介して、バックシート４に剥離可能に接合されていてもよい。本発明に用いることのできる水溶性バインダー５としてはポリビニルアルコール、カルボキシメチルセルロース、カルボキシメチルセルロースナトリウム塩などを、少なくとも一種類配合したものが好ましい。
また、定着剤としてＰｏｌｙＤＡＤＭＡＣ等カチオン系薬剤を添加してもよい。
【００３０】
（摘み部）
バックシート４に付随する部位において、図１に示すように、吸収性物品１の少なくとも一端に摘み部６を有していてもよい。摘み部６を有することにより、下着から容易に吸収性物品１を取り外すことができ、また、バックシート４をトップシート３から容易に剥離ができる。
摘み部６としては、図３又は図４に示すように、例えば、短冊型シート６１からなるものや襞状の突部６２が挙げられる。その態様としては、図３に示すように、上述した短冊型シート６１をトップシート３とバックシート４の間に挟持し、その短冊型シート６１の端部をトップシート３及びバックシート４の端縁から突出させて保持する態様や、図４に示すように、上述した襞状の突部６２をそれぞれ上下方向に対称となるように、トップシート３及びバックシート４の対応する位置に保持する態様が、挙げられる。
【００３１】
［吸収性物品の寸法］
吸収性物品１は、対角線の長辺が１１０ｍｍ以上２６０ｍｍ以下、対角線の短辺が１００ｍｍ以上２００ｍｍ以下の凧型形状を有していることが好ましい。ここで、吸収性物品１を使用する際には、吸収性物品１の長手方向が、身体の前後方向となるように、下着に装着して使用することが好ましい。
【００３２】
［ほぐれ易さ］
吸収性物品１は、吸収体２を構成する水解性クレープ紙２１及びトップシート３のそれぞれのＪＩＳ  Ｐ  ４５０１ほぐれ易さ試験の結果が１００秒以内のものであり、特に湿潤時の強度の高い外側クレープ紙であっても８０秒以内のものであることが好ましい。また、吸収性物品１自体のＪＩＳ  Ｐ  ４５０１ほぐれ易さ試験の結果は、０．３ｇあたり８０秒以内であることが好ましく、６０秒以内であることがより好ましい。ほぐれ易さが上記の条件を満たし、製品重量が６．５ｇ以下であることで、吸収性物品１をトイレに廃棄した際に、水中に迅速に分散するようになる。
【符号の説明】
【００３３】
１    吸収性物品
２    吸収体
２１  水解性クレープ紙
３    トップシート
４    バックシート
５    水溶性バインダー
６    摘み部
６１  摘み部  （短冊形シート）
６２  摘み部  （襞状の突部）
【図１】
2018086062.tif 000003
【図２】
2018086062.tif 000004
【図３】
2018086062.tif 000005
【図４】
2018086062.tif 000006